(57)【特許請求の範囲】
【請求項１】
急性心疾患イベント治療後の心臓リハビリテーションを支援する心臓リハビリテーション支援情報システムであって、
被験者が装着する子機と、
前記子機と無線通信をし得る複数のセンサと、
前記複数のセンサのいずれかを介して前記子機から心電情報及び運動量情報を取得し、前記心電情報及び運動量情報に基づいて当該被験者の心臓リハビリテーションの監視及びアセスメントを実施する演算処理部と
を含み、前記子機は、
被験者に心電図を計測する計測電極を提供する心電電極と、
前記心電電極に接続された端末と
を含み、前記端末は、
前記心電電極から供給された心電電圧を解析して心電情報を作成する心電解析部と、
運動量情報を作成する運動量解析部と、
位置情報を検出する位置検出部と
を含み、
前記位置検出部は、前記複数のセンサの少なくとも１つのセンサと無線通信し、当該１つのセンサの位置情報に基づいて被験者の位置情報を作成する心臓リハビリテーション支援情報システム。
の心臓リハビリテーション支援情報システム。
【請求項２】
前記端末は、表示部を含み、前記位置検出部で作成された位置情報を表示する請求項１に記載の心臓リハビリテーション支援情報システム。
【請求項３】
前記運動量解析部は、加速度計及び角加速度計の少なくとも１つを含み、前記位置検出部から供給された位置情報、前記加速度計にて計測された加速度及び前記角加速度計にて計測された角加速度の少なくとも１つに基づいて運動量情報を作成する請求項１又は２に記載の心臓リハビリテーション支援情報システム。
【請求項４】
前記端末は、インターフェース及びアンテナを含み、前記心電解析部、前記運動量解析部及び前記位置検出部は、前記インターフェース及び前記アンテナを介して前記複数のセンサの少なくとも１つと通信し得る請求項１から３のいずれかに記載の心臓リハビリテーション支援情報システム。
【請求項５】
前記複数のセンサは、前記子機とブルートゥースにより無線通信をし得る請求項１から４のいずれかに記載の心臓リハビリテーション支援情報システム。
【請求項６】
前記心電電極は心電下着である請求項１から５のいずれかに記載の心臓リハビリテーション支援情報システム。
【請求項７】
前記端末は、前記心電下着に格納することができる請求項６に記載の心臓リハビリテーション支援情報システム。
【請求項８】
前記演算処理部が実施する心臓リハビリテーションの監視及びアセスメントは、当該被験者の心電情報及び運動量情報に基づいて被験者の心臓動態を判断することを含む請求項１から７のいずれかに記載の心臓リハビリテーション支援情報システム。
【請求項９】
ストレージをさらに含み、前記演算処理部は、前記複数のセンサを介して供給された被験者の心電情報及び運動量情報をストレージに格納し、前記監視及びアセスメントは前記ストレージに格納した心電情報及び運動量情報に基づいて実施する請求項８に記載の心臓リハビリテーション支援情報システム。
【請求項１０】
表示部をさらに含み、前記表示部は、前記演算処理部で実施された監視及びアセスメントの結果を表示する請求項８又は９に記載の心臓リハビリテーション支援情報システム。
【請求項１１】
外部の電子カルテシステムと接続することができる請求項１から１０のいずれかに記載の心臓リハビリテーション支援情報システム。
【発明の詳細な説明】
【技術分野】
【０００１】
本発明は、急性期心疾患イベント治療後の心臓リハビリテーションを支援する心臓リハビリテーション支援情報システムに関する。
【背景技術】
【０００２】
心筋梗塞等の急性期心疾患イベントの治療後は、モニタ監視下で循環器系に徐々に負荷をかける心臓リハビリテーションが行われている。例えば、心臓リハビリテーションのために、トレッドミルや自転車等により強制的に負荷を与えるモニタリングシステムが提供されている。また、携帯心電計を用い、医師の監視下の日常環境で行う心臓リハビリテーションも提供されている。
【０００３】
一方、西陣織の技術によりジャカード織機を用いて導電性糸及び非導電性糸を綴れ織りし、一枚の布帛に電極及び配線を一体に形成する技術が提供されている（特許文献１及び２、非特許文献１を参照）。また、ブルートゥース（Bluetooth）モジュールを用いたデバイスを人や物に装着し、その受信信号強度（Receiver Signal Strength Indicator: RSSI）に基づいて、人や物の現在位置についての位置情報や人と人もしくは人と物との距離（相互近接情報）を検出する技術が提供されている（非特許文献２を参照）。
【先行技術文献】
【特許文献】
【０００４】
【特許文献１】特開２０１１−１５８１７号公報
【特許文献２】特開２０１１−１５８１８号公報
【非特許文献】
【０００５】
【非特許文献１】Kuroda et al. Applying NISHIJIN Historical Textile Technique for e-Textile. Proc. EMBC 2013; 4646-9
【非特許文献２】納谷，野間，大村，小暮：“Bluetoothのデバイス検出機構を用いた近接位置計測法”，電子情報通信学会技術研究報告，vol.105，No.224，pp.5-10，2005.
【発明の概要】
【発明が解決しようとする課題】
【０００６】
しかしながら、従来のモニタリングシステムにおいては、モニタ接続などの準備のほか、監視に人手がかかるため、人的な医療資源の必要が大きかった。
【０００７】
この発明は、上述の実情に鑑みて提案されるものであって、人的な医療資源を低減するような心臓リハビリテーション支援情報システムを提供することを目的とする。
【課題を解決するための手段】
【０００８】
上述の課題を解決するために、この出願に係る心臓リハビリテーション支援情報システムは、急性心疾患イベント治療後の心臓リハビリテーションを支援する心臓リハビリテーション支援情報システムであって、被験者が装着する子機と、前記子機と無線通信をし得る複数のセンサと、前記複数のセンサのいずれかを介して前記子機から心電情報及び運動量情報を取得し、前記心電情報及び運動量情報に基づいて当該被験者の心臓リハビリテーションの監視及びアセスメントを実施する演算処理部とを含み、前記子機は、被験者に心電図を計測する計測電極を提供する心電電極と、前記心電電極に接続された端末とを含み、前記端末は、前記心電電極から供給された心電電圧を解析して心電情報を作成する心電解析部と、運動量情報を作成する運動量解析部とを含むものである。
【０００９】
前記端末は、位置情報を検出する位置情報検出部をさらに含むことが好ましい。前記位置検出部は、前記複数のセンサの少なくとも１つのセンサと無線通信し、当該１つのセンサの位置情報に基づいて被験者の位置情報を作成することが好ましい。前記端末は、表示部を含み、前記位置検出部で作成された位置情報を表示することが好ましい。
【００１０】
前記運動量解析部は、加速度計及び角加速度計の少なくとも１つを含み、前記位置検出部から供給された位置情報、前記加速度計にて計測された加速度及び前記角加速度計にて計測された角加速度の少なくとも１つに基づいて運動量情報を作成することが好ましい。
【００１１】
前記端末は、インターフェース及びアンテナを含み、前記心電解析部、前記運動量解析部及び前記位置検出部は、前記インターフェース及び前記アンテナを介して前記複数のセンサの少なくとも１つと通信し得ることが好ましい。前記複数のセンサは、前記子機とブルートゥース等により無線通信をし得るものである。
【００１２】
前記心電電極は心電下着であることが好ましい。前記端末は、前記心電下着に格納することができてもよい。
【００１３】
前記演算処理部が実施する心臓リハビリテーションの監視及びアセスメントは、当該被験者の心電情報及び運動量情報に基づいて被験者の心臓動態を判断することを含むことが好ましい。
【００１４】
心臓リハビリテーション支援情報システムは、ストレージをさらに含み、前記演算処理部は、前記複数のセンサを介して供給された被験者の心電情報及び運動量情報をストレージに格納し、前記監視及びアセスメントは前記ストレージに格納した心電情報及び運動量情報に基づいて実施することが好ましい。
【００１５】
心臓リハビリテーション支援情報システムは、表示部をさらに含み、前記表示部は、前記演算処理部で実施された監視及びアセスメントの結果を表示することが好ましい。外部の電子カルテシステムと接続することができることが好ましい。
【発明の効果】
【００１６】
本発明によると、心臓リハビリテーションに必要な人的資源を低減することができる。また、被験者が心臓リハビリテーションを自律的に実施できるようになる。ひいては、心臓リハビリテーションの進捗を促進し、早期の退院を実現することができる。
【図面の簡単な説明】
【００１７】
【図１】心臓リハビリテーション支援情報装置の全体の構成を示すブロック図である。
【図２】被験者が子機を装着した状態を示す模式図である。
【図３】心電下着の構成を示す図である。
【図４】計測電極の一例を示す写真である。
【図５】端末の一例を示す写真である。
【図６】心臓リハビリテーション支援情報システムの実施例を示す模式図である。
【発明を実施するための形態】
【００１８】
以下、本発明に係る心臓リハビリテーション支援情報システムの実施の形態について、図面を参照して詳細に説明する。
【００１９】
図１は、心臓リハビリテーション支援情報システムの全体の構成を示すブロック図である。心臓リハビリテーション支援情報システムは、急性心疾患イベント治療後の心臓リハビリテーションを支援するものであり、１人以上の被験者がそれぞれ装着し、被験者の心電図、運動量、位置の情報（以下では、心電情報、運動量情報、位置情報という。）等を取得する１個以上の子機１０１〜ｍと、子機１０１〜ｍと無線通信することができる本体６０とを含んでいる。ここで、１個以上の子機１０１〜ｍは同様の構成を有するため、以下では別記する場合を除いて単に子機１０と称することにする。他の構成要素についても同様とする。
【００２０】
図２は、被験者１０１が子機１０を装着した状態を示す模式図である。子機１０は、被験者１０１が装着する心電電極である心電下着２０と、心電下着２０に接続された端末３０を含んでいる。端末３０は、心電下着２０に設けられたポケット２８に格納することができる。
【００２１】
図３は、心電下着２０の構成を示す図である。図３（ａ）は心電下着２０の正面図であり、図３（ｂ）は心電下着２０の背面図であり。図３（ｃ）は、心電下着２０の後見頃を一部破断した一部破断背面図である。
【００２２】
心電下着２０は、伸縮することができる弾力性のある柔軟な布帛により作製され、被験者１０１の胴体を内部に収めた状態で裏面２０ｂが被験者１０１の胴体に密着するようになされている。心電下着２０は、ジャガート織機により導電撚と非導電撚糸を綴れ織りすることで作製された平織の布帛から作製されている。
【００２３】
この心電下着２０には、導電撚糸による電極及び配線が所定のパターンを形成するように、非導電撚糸によって一枚の布帛に一体に折り込まれている。本実施の形態では、導電撚糸に１００μｍの銀メッキ繊維を用い、非導電撚糸に１５０〜５００デニールのポリエステルまたはレーヨン繊維を用いている。なお、導電撚糸及び非導電撚糸はこれらに限られず、適切な性質を有するものを使用することができる。
【００２４】
心電下着２０の前見頃は、複数の計測電極２１を配置した電極配置部２２を含んでいる。心電下着２０の後見頃を含む残りの部分は、被験者１０１が心電下着２０を装着するときに、被験者１０１の胴体を取り囲んで電極配置部２２を胴体の適切な位置に固定する保持部２６を構成している。
【００２５】
電極配置部２２の裏面２０ｂには、所定の位置に導電撚糸による第１〜１０計測電極２１１〜１０が形成されている。これらの計測電極２１の内、第３〜８計測電極２１３〜８は、標準１２誘導法で規定された６個の胸部電極に対応している。第１、２、９、１０計測電極２１１，２，９，１０は標準１２誘導法で規定された四肢電極に相当するものであり、電極配置部２２において、前見頃の四端近くに形成されている。なお、第９〜１０計測電極２１９〜１０は、被験者１０１の脇腹の部分に形成してもよい。
【００２６】
心電下着２０の前見頃と後見頃が接続する部分であって、被験者１０１の両脇に当接する部分には、第１の位置基準部７１が形成されている。また、心電下着２０の前見頃の表面２０ａの略中央には、目視により識別できるように綴織や印刷によって形成された基準線が上端から下端まで伸びた第２の位置基準部７２が形成されている。これら第１の位置基準部７１と第２の位置基準部７２は、第１の位置基準部７１を被験者１０１の腋下に当接するとともに第２の位置基準部７２の基準線を被験者１０１の正中線に合わせることにより、第１〜１０計測電極２１１〜１０が被験者１０１の所定の位置に取り付けられるように、適切な位置に形成されている。
【００２７】
被験者１０１が心電下着２０を装着するときには、心電下着２０の裏面２０ｂが被験者１０１に対向するように、電極配置部２２と保持部２６を含む心電下着２０の全体で被験者１０１の胴体を取り囲んで密着させて固定する。その際に、第１の位置基準部７１が被験者１０１の両側の腋下に当接するようにするとともに、第２の位置基準部７２の基準線が被験者１０１の正中線上にあるように位置合わせをする。
【００２８】
心電下着２０は、第１の位置基準部７１が被験者１０１の腋下に当接され、第２の位置基準部７２の基準線が被験者１０１の正中線に合わせられることにより、被験者１０１に対する位置合わせをすることができ、第３〜８計測電極２１３〜８が標準１２誘導法で規定された胸部電極の位置に所定の位置精度を有して適切に取り付けられる。また、第１、２、９、１０計測電極２１１，２，９，１０も標準１２誘導法で規定された四肢電極に相当するように四肢に近く取り付けられる。
【００２９】
図４は、計測電極２１の一例を示す写真である。この写真は、例えば第１〜１０の計測電極２１１〜１０の一つを示すものであり、ジャカード織機により作製され、略円形の形状になるように、平織の布帛において非導電撚糸中に導電撚糸により形成されたものである。さらに、計測電極２１は、写真には表れていない導電撚糸による導線の配線２３に接続されている。
【００３０】
心電下着２０の前見頃の表面の所定の位置には、ポケット２８が形成されている。このポケットには、被験者１０１が所望の物品を格納することができるほか、子機１０の端末３０を格納することができる。端末３０は、図示しない線路によって心電下着２０の配線２３に接続され、計測電極２１から心電電圧が供給されている。
【００３１】
本実施の形態の心電下着２０は、平織の布帛に形成されたものであり、形態安定性を高め、布帛でありながら電極の位置関係が布の伸縮によって大幅に代わることがない構造としている。また、被験者１０１の皮膚からの発汗を速やかに吸収すると共に、熱の移動を抑制して皮膚の保温を可能にし、被験者１０１に着心地がよく、長期間の装着も負担を掛けることない。さらに、下着のように洗濯することにより繰り返し再利用することができるため、運用コストが低減される。
【００３２】
また、心電下着２０は、第１の位置基準部７１を被験者１０１の腋下に当接するとともに、第２の位置基準部７２の基準線を被験者１０１の正中線に合わせることにより、電極配置部２２の第１〜１０計測電極２１１〜１０を被験者１０１に所定の位置精度で適切に取り付けることができる。したがって、被験者１０１は、他人の助けを借りることなく独力で心電図の計測電極２１を容易に取り付けることができる。
【００３３】
さらに、心電下着２０は、表面２０ａの前見頃の所定の位置にポケット２８を設けることにより、心電下着２０に接続する端末３０を格納して携帯することを可能にし、被験者１０１の運動を妨げることがない。また、心電下着２０における配線２３は、電気的性質が安定し、ノイズが乗ることが少ない。
【００３４】
図５は、端末３０の一例を示す写真である。端末３０は、やや平坦な略直方体の形状を有し、前面にＬＣＤなどによる表示部３４と、各種の操作を受け付ける複数のボタンが配置された入力部が設けられている。表示部３４には端末３０の現在位置を示す地図が表示されている。
【００３５】
ここで、図１を参照して端末３０の構成を説明する。端末３０は、心電電圧を標準１２電極法に従って解析し、所定の心電データを作成する心電解析部３１を含んでいる。心電解析部３１は、心電下着２０と接続した線路を介し、計測電極２１から心電電圧を取得している。心電解析部３１は、この心電電圧を標準１２誘導法に従って解析し、所定の心電情報を作成する。この心電解析部３１は、市販の心電計と同等の機能を有するものである。
【００３６】
端末３０は、インターフェース３５とアンテナ３６を含んでいる。インターフェース３５は、端末３０のデータをブルートゥースの規格に従い符号化してアンテナ３６を介して送信すると共に、アンテナ３６で受信したブルートゥースの規格に従う信号を復号して端末３０に供給している。心電解析部３１は、作成した心電情報をインターフェース３５とアンテナ３６を介して本体６０に送信する。
【００３７】
端末３０は、この端末３０の位置を検出して位置情報を作成する位置検出部３２を含んでいる。位置検出部３２は、インターフェース３５とアンテナ３６を介してブルートゥースによる通信を試み、リンクが接続された相手方の位置情報に基づいて端末３０の位置情報を作成する。例えば、位置検出部３２は、非特許文献２に開示された技術を適用し、ブルートゥースの受信信号強度に基づいて現在位置の位置情報を検出してもよい。
【００３８】
位置検出部３２は、作成した位置情報をインターフェース３５とアンテナ３６を介して本体６０に送信してもよい。位置検出部３２は、ブルートゥースによる通信ができない場合には、例えばＧＰＳなどの他の方法により位置情報を検出してもよい。
【００３９】
端末３０は、文字情報や画像情報を表示する前述の表示部３４を含んでいる。表示部３４は、例えばＬＣＤによって構成され、位置検出部３２で作成された位置情報を例えば地図を用いて表示することができる。
【００４０】
端末３０は、運動量を解析する運動量解析部３３を含んでいる。運動量解析部３３は、加速度計と角加速度計を含み、この加速度計で計測した加速度・角加速度と共に位置検出部３２で作成された位置情報に基づいて運動量情報を作成する。運動量解析部３３は、作成した運動量情報をインターフェース３５とアンテナ３６を介して本体６０に送信する。この運動量解析部３３は、市販の運動量計と同様の機能を有するものである。
【００４１】
このような構成を有する端末３０は、市販のマイクロコントローラに適切なファームウェアを設定し、市販のブルトゥースインターフェースとアンテナ、心電計モジュール、運動量モジュール、ＬＣＤモジュールなどを組み合わせることによって構成することができる。
【００４２】
図１に示すように、心臓リハビリテーション支援情報システムの本体６０は、子機１０と通信するセンサ部４０と、センサ部４０で取得された子機１０からの心電情報、運動量情報などに基づいて心臓リハビリテーション支援情報システムの全体を制御する制御部５０とを含んでいる。センサ部４０は、異なる位置に設置された複数のセンサ４１１〜ｎを有している。
【００４３】
複数のセンサ４１１〜ｎは、ブルートゥースの規格に従ってデータを符号化して送信すると共に、受信したデータを復号する。これら複数のセンサ４１１〜ｎは、無線通信の基地局となると共に、無線通信の相手方となった子機１０を検出するセンサの役割を果たしている。また、子機１０に対して位置情報を提供する基準ともなっている。複数のセンサ４１１〜ｎは、ブルートゥースの規格による無線通信が可能な市販のブルートゥース端末によって構成することができる。
【００４４】
制御部５０は、演算処理部５１と、ストレージ５３とを含んでいる。演算処理部５１は、センサ部４０を介して無線通信が確立された子機１０１〜ｍを特定し、この子機１０１〜ｍから送信された心電情報、運動量情報、位置情報などを受け取る。そして、これらのデータをストレージ５３に格納すると共に、これらのデータに所定の処理を施す。演算処理部５１における処理は、所定のプログラムに従うものであってもよい。
【００４５】
演算処理部５１は、心電情報、運動量情報などに基づいて監視及びアセスメントを行う監視・アセス部５２を含んでいる。監視・アセス部５２は、所定の手順に従って、心電情報、運動量情報などにより被験者１０１の心臓動態と運動負荷とを比較分析する。また、位置情報に基づいて行動履歴を作成し、併せて比較分析してもよい。
【００４６】
制御部５０は、表示部５４と、入力部５５とを含んでいる。監視・アセス部５２は、行動履歴と心臓動態から被験者の心臓に負荷がかかりすぎていると判断すると、当該子機１０１〜ｍを装着した被験者１０１を特定する情報と共に、警告を表示部５４に表示する。当該子機１０１〜ｍを装着した被験者１０１の位置情報を表示部５４に同時に表示するようにしてもよい。また、医師、技師、看護婦等の医療関係者に警告を通知してもよい。
【００４７】
入力部５５は、演算処理部５１、監視・アセス部５２などを含む制御部５０に対する各種の指示を入力することができる。例えば、表示部５４に問題が発生した旨が表示されると、入力部５５を通じて問題への対処を制御部５０に指示することができる。
【００４８】
本体６０は、市販のパーソナルコンピュータによって構成することができる。この場合、ストレージ５３はＨＤＤ、表示部５４はＬＣＤ、入力部５５はキーボードとマウス、演算処理部５１はプロセッサに所定のプログラムを提供することで構成することができる。本体６０とセンサ部４０の複数のセンサ４１１〜ｍは、例えばイーサネットのようなＬＡＮによって接続することができる。
【００４９】
また、本体６０は、外部の電子カルテシステム２００と所定のプロトコルに従いデータの受け渡しすることができる。例えば、被験者１０１の心電情報、運動量情報、行動履歴、心臓動態、運動情報などを電子カルテシステム２００に送信し、電子カルテ（診療録）に記録するようにしてもよい。
【００５０】
本実施の形態の心臓リハビリテーション支援情報システムにおいて、監視・アセス部５２は、被験者１０１の行動履歴と心臓動態から心臓リハビリテーションの状態を常に監視及びアセスメントしている。したがって、医師・技師・看護婦などの医療関係者が監視したりアセスメントしたりする必要がなく、人的な医療資源が低減される。
【００５１】
また、本実施の形態の心臓リハビリテーション支援情報システムにおいて、監視・アセス部５２は、被験者１０１の心臓動態と運動負荷を常に監視し、被験者１０１の心臓に負担がかかりすぎている場合などの必要な場合には医療関係者に警告を発信する。また、同時に被験者１０１の位置情報を提供してもよい。したがって、被験者１０１の安全が図られると共に、医療関係者は被験者１０１の異常を迅速に知ることができる。
【００５２】
さらに、本実施の形態の心臓リハビリテーション支援情報システムは、被験者１０１の行動履歴、心臓動態などを連携する電子カルテシステム２００に送信し電子カルテに記録することができる。したがって、医療関係者が電子カルテに保存する必要がなくなり、人的な医療資源が低減される。また、心臓リハビリテーションの記録を確実に保管しておくことができる。
【００５３】
さらにまた、本実施の形態の心臓リハビリテーション支援情報システムは、被験者１０１が子機１０を装着し、日常生活の中で心臓リハビリテーションを行うものである。また、子機１０の心電下着２０は着心地がよく、被験者１０１の自分で容易に装着することができる。子機１０の端末３０は、心電下着２０とともに携帯することができる。したがって、被験者１０１への心臓リハビリテーションの負担を低減すると共に、被験者１０１が自律的に心臓リハビリテーションを行う頃ができる。
【００５４】
なお、本実施の形態において、端末３０は位置検出部３２と運動量解析部３３の両方を含むものとしたが、本発明はこれに限られず、運動量情報が得られるものであれば位置検出部３２と運動量解析部３３の１つのみを含むものでもよい。
【００５５】
また、運動量解析部３３は、加速度、角加速度及び位置情報に基づいて運動量情報を作成するものとしたが、本発明はこれに限られず、加速度、角加速度及び位置情報の少なくとも１つに基づいて運動量情報を作成してもよい。
【００５６】
本実施の形態において、心電解析部３１、位置検出部３２、運動量解析部３３などの機能は端末３０内のブロックとして実現されているが、本発明はこれに限られず、被験者１０１がこれらを心電計、位置検出装置、運動量計などの個別の機器として装着してもよい。この場合、これらの機器がそれぞれ本体６０と通信するようにしてもよい。また、個別の機器からの信号を端末３０のインターフェース３５で取りまとめ、インターフェース３５を介して本体６０と通信するようにしてもよい。個別の機器とインターフェース３５の通信には、ボディエリアネットワーク（body area network: BAN）を利用してもよい。
【００５７】
さらに、本実施の形態では、通信規格の一例としてブルートゥースを例示したが、本発明はこれに限られず、他の適切な通信規格を使用することができる。また、本実施の形態においては、心電電極の一例として心電下着２０を例示したが、本発明はこれに限られず他の適切な心電電極を使用することができる。例えば、ホルター心電計を使用してもよい。
【００５８】
図６は、心臓リハビリテーション支援情報システムの実施例を示す模式図である。この実施例では、心臓リハビリテーション支援情報システムは病院に設置され、病院内の被験者１０１に対して心臓リハビリテーションの支援を提供している。
【００５９】
心臓リハビリテーション支援情報システムの本体６０の制御部５０は、パーソナルコンピュータから構成されている。制御部５０は、医師、技師、看護婦などの医療従事者による監視されるように、病院内の所定の場所に設置される。
【００６０】
心臓リハビリテーション支援情報システムの本体６０のセンサ部４０は、複数のセンサ４１１〜ｎが病院内の各所に配置され、ブルートゥースの規格による無線通信を可能にするように設置されている。各センサ４１１〜ｎと制御部５０は、所内ＬＡＮなどの有線回路によって接続されている。
【００６１】
子機１０は、病院内の被験者１０１によって装着されている。子機１０は、被験者１０１が装着する心電下着２０と心電下着２０に格納される端末３０を含んでいる。端末３０は、院内に設置された複数のセンサ４１１〜ｎのいずれかとブルートゥースの規格に従い通信をし得る。
【００６２】
なお、図中には、単一の子機１０が描かれているが、複数の被験者１０１の心臓リハビリテーションを支援する場合には、複数の被験者が装着する複数の子機１０１〜ｍが存在してもよい。
【００６３】
被験者１０１が院内を移動すると、端末３０と付近の少なくとも一つのセンサ４１１〜ｎとが無線通信をし得るように、相手方となるセンサ４１１〜ｎが順に切り替えられる。図中においては、被験者１０１の移動に伴い、端末３０の無線通信の相手方となるセンサ４１が第１のセンサ４１１から第２のセンサ４１２に切り替えられている。
【００６４】
端末３０は、無線通信の相手方となったセンサ４１１〜ｎを特定し、そのセンサ４１１〜ｎの位置情報に基づいて当該端末３０の位置情報を作成する。作成した位置情報は、端末３０の表示部３４に表示することができる。
【００６５】
端末３０は、心電下着２０から供給された心電電圧に基づいて心電情報を作成すると共に、前記位置情報と計測した加速度情報に基づいて運動量情報を作成する。そして、心電情報と運動量情報を無線通信の相手方となったセンサ４１１〜ｎに送信する。端末３０は、これら心電情報と運動量情報に併せて位置情報を送信してもよい。
【００６６】
本体６０の制御部５０は、複数のセンサ４１１〜ｎを有するセンサ部４０を介して端末３０から送信された心電情報と運動量情報が供給される。また、端末３０の位置情報が併せて供給されることもある。
【００６７】
制御部５０の演算処理部５１は、制御部５０のパーソナルコンピュータで実行される所定のプログラムによって実現することができる。このプログラムは、被験者１０１の心臓リハビリテーションの進捗を監視及びアセスメントすることにより支援する機能を有し、この監視及びアセスメントの機能が監視・アセス部５２に対応している。
【００６８】
監視・アセス部５２は、子機１０を装着した被験者１０１の心電情報、運動量情報、行動履歴などに基づいて、心臓動態、運動負荷などを監視及びアセスメントする。これら監視及びアセスメントの結果は、表示部５４のディスプレイに表示することができる。また、被験者１０１の心臓動態に異常が見られると、ディスプレイにその旨の警告や被験者１０１の位置情報を表示することができる。また、図示しないスピーカから警報を発することもできる。
【００６９】
監視・アセス部５２は、監視及びアセスメントを接続された電子カルテシステム２００に連携して行うことができる。例えば、行動履歴、心臓動態、運動量情報などは、随時、連携する電子カルテシステム２００に送信されるようにしてもよい。
【００７０】
子機１０を装着した被験者１０１の位置は常に追跡され、ディスプレイに位置情報を表示することができる。子機１０の位置は、端末３０とブルートゥースの規格に従う無線通信の相手方となったセンサ４１１〜ｍの位置情報に基づいて取得することができるが、端末３０から送信された位置情報に基づいて決定してもよい。
【００７１】
なお、この実施例においては、心臓リハビリテーション支援情報システムは病院に設置されるものとしたが、本発明はこれに限定されない。例えば、心臓リハビリテーション支援情報システムの本体６０は病院や他の施設に設置し、センサ部４０のセンサ４１は他の施設や被験者の自宅に設置することもできる。
【産業上の利用可能性】
【００７２】
本発明は、急性期心疾患イベント治療後などの心臓リハビリテーションなどの医療に適用することができる。
【符号の説明】
【００７３】
１０  子機
２０  心電下着
３０  端末
４０  センサ部
５０  制御部
６０  本体
２００  電子カルテシステム
【図１】
0006601609.tif 000002
【図２】
0006601609.tif 000003
【図３】
0006601609.tif 000004
【図４】
0006601609.tif 000005
【図５】
0006601609.tif 000006
【図６】
0006601609.tif 000007